【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
符号化されたビットストリームを受信することと、ここにおいて、前記符号化されたビットストリームは、１つのセットの符号化されたカラーボリューム変換パラメータを含む１つまたは複数のメタデータブロックを含む、
前記符号化されたビットストリームに前記１つまたは複数のメタデータブロックが存在することを決定することと、
前記符号化されたビットストリームに前記１つまたは複数のメタデータブロックが存在することの前記決定に基づいて、１つまたは複数のさらなるメタデータブロックが存在することが前記符号化されたビットストリームにおいて必要とされることを決定することと、前記１つまたは複数のさらなるメタデータブロックは、符号化されたセットのマスタリングディスプレイカラーボリュームパラメータを含む、
前記符号化されたビットストリームが、前記符号化されたセットのマスタリングディスプレイカラーボリュームパラメータを含む前記１つまたは複数のさらなるメタデータブロックを含まないことを決定することと、
前記符号化されたビットストリームが前記１つまたは複数のさらなるメタデータブロックを含まないことに基づいて、前記符号化されたビットストリームが前記要件に適合しないことを決定することと、
前記符号化されたビットストリームが前記要件に適合しないという前記決定に基づいて、前記符号化されたビットストリームの少なくとも一部を処理しないことと、
を備える、方法。
【請求項２】
前記符号化されたセットのカラーボリューム変換パラメータは伝送特性を含み、前記方法はさらに、
前記伝送特性の値が特定の値であることを決定することを備え、ここにおいて、前記符号化されたビットストリームが適合していないことを決定することはさらに、前記１つまたは複数のメタデータブロックが、前記伝送特性の前記値が前記特定の値であるときに前記符号化されたビットストリームに含まれることに基づく、
請求項１に記載の方法。
【請求項３】
前記符号化されたセットのカラーボリューム変換パラメータおよび前記符号化されたセットのマスタリングディスプレイカラーボリュームパラメータは同じフィールドを含み、前記符号化されたビットストリームが適合していないことを決定することはさらに、前記フィールドが前記１つまたは複数のメタデータブロックと前記１つまたは複数のさらなるメタデータブロックとの両方に存在することに基づく、請求項１に記載の方法。
【請求項４】
前記符号化されたセットのカラーボリューム変換パラメータおよび前記符号化されたセットのマスタリングディスプレイカラーボリュームパラメータは同じフィールドを含み、前記フィールドは、前記１つまたは複数のメタデータブロックから省かれ、前記方法はさらに、
前記セットの符号化されたカラーボリューム変換パラメータを復号することを備え、復号することは、前記符号化されたセットのマスタリングディスプレイカラーボリュームパラメータから前記フィールドについての値を使用することを含む、
請求項１に記載の方法。
【請求項５】
前記ビデオデータは複数の処理ウィンドウ、複数のコンテンツ記述要素、または複数のターゲットディスプレイ要素を含み、前記符号化されたビットストリームが適合していないことを決定することはさらに、前記複数の処理ウィンドウの量が１６よりも大きいこと
、前記複数のコンテンツ記述要素の量が１よりも大きいこと、または前記複数のターゲットディスプレイ要素の量が１６よりも大きいことに基づく、請求項１に記載の方法。
【請求項６】
前記符号化されたビットストリームが、前記符号化されたビットストリームに特定のアクセスユニットのためのメタデータブロックを含まないことを決定することをさらに備え、前記符号化されたビットストリームが適合していないことを決定することはさらに、前記符号化されたビットストリームが、前記特定のアクセスユニットのためのメタデータブロックを含まないことに基づく、請求項１に記載の方法。
【請求項７】
前記符号化されたビットストリームがリザーブ値を含むことを決定することをさらに備え、前記符号化されたビットストリームが適合していないことを決定することはさらに、前記符号化されたビットストリームがリザーブ値を含むことに基づく、
請求項１に記載の方法。
【請求項８】
前記１つまたは複数のメタデータブロックは各々、長さ値を含み、前記符号化されたビットストリームが適合していないことを決定することはさらに、前記長さ値が８の倍数でないことに基づく、請求項１に記載の方法。
【請求項９】
前記１つまたは複数のメタデータブロックは各々、長さ値を含み、前記符号化されたビットストリームが適合していないことを決定することはさらに、前記長さ値が２５５よりも大きいことに基づく、請求項１に記載の方法。
【請求項１０】
前記１つまたは複数のメタデータブロックまたは前記１つまたは複数のさらなるメタデータブロックは、１つまたは複数の補足強化情報（ＳＥＩ）ネットワーク抽象化レイヤ（ＮＡＬ）ユニットにおいて符号化される、請求項１に記載の方法。
【請求項１１】
ビデオデータを処理するための方法であって、
前記ビデオデータを受信することと、ここにおいて、前記ビデオデータは、カラーボリュームに関連付けられる、
前記ビデオデータから１つのセットのカラーボリューム変換パラメータを取得することと、ここにおいて、前記セットのカラーボリューム変換パラメータは、前記カラーボリュームを変換するために使用され得る、
１つのセットのマスタリングディスプレイカラーボリュームパラメータを取得することと、ここにおいて、前記セットのマスタリングディスプレイカラーボリュームパラメータは、前記ビデオデータのマスターコピーを生成するときに決定される値を含む、
前記セットのカラーボリューム変換パラメータのための１つまたは複数のメタデータブロックを生成することと、
前記セットのマスタリングディスプレイカラーボリュームパラメータのための１つまたは複数のさらなるメタデータブロックを生成することと、
前記ビデオデータについて符号化されたビットストリームを生成することと、ここにおいて、前記符号化されたビットストリームは、前記セットのカラーボリューム変換パラメータのための前記１つまたは複数のメタデータブロックおよび前記セットのカラーボリューム変換パラメータのための前記１つまたは複数のさらなるメタデータブロックを含み、前記セットのマスタリングディスプレイカラーボリュームパラメータのための前記１つまたは複数のさらなるメタデータブロックを含むことは、前記符号化されたビットストリームに前記セットのカラーボリューム変換パラメータのための前記１つまたは複数のメタデータブロックが存在することによって必要とされる、
を備える、方法。
【請求項１２】
前記ビデオデータは複数の処理ウィンドウ、複数のコンテンツ記述要素、または複数のターゲットディスプレイ要素を含み、前記符号化されたビットストリームにおいて、前記複数の処理ウィンドウの量が１〜１６の間の値に制限されるか、前記複数のコンテンツ記述要素の量が１に制限されるか、または前記複数のターゲットディスプレイ要素の量が１〜１６の間の値に制限される、請求項１１に記載の方法。
【請求項１３】
命令を記憶した非一時的なコンピュータ可読媒体であって、前記命令は、１つまたは複数のプロセッサによって実行されるとき、前記１つまたは複数のプロセッサに、請求項1乃至１２のいずれか１つに従う方法を行わせる、非一時的なコンピュータ可読媒体。
【請求項１４】
ビデオデータを処理するための装置であって、
前記ビデオデータを受信するための手段と、ここにおいて、前記ビデオデータは、カラーボリュームに関連付けられる、
前記ビデオデータから１つのセットのカラーボリューム変換パラメータを取得するための手段と、ここにおいて、前記セットのカラーボリューム変換パラメータは、前記カラーボリュームを変換するために使用され得る、
１つのセットのマスタリングディスプレイカラーボリュームパラメータを取得するための手段と、ここにおいて、前記セットのマスタリングディスプレイカラーボリュームパラメータは、前記ビデオデータのマスターコピーを生成するときに決定される値を含む、  前記セットのカラーボリューム変換パラメータのための１つまたは複数のメタデータブロックを生成するための手段と、
前記セットのマスタリングディスプレイカラーボリュームパラメータのための１つまたは複数のさらなるメタデータブロックを生成するための手段と、
前記ビデオデータについて符号化されたビットストリームを生成するための手段と、ここにおいて、前記符号化されたビットストリームは、前記セットのカラーボリューム変換パラメータのための前記１つまたは複数のメタデータブロックおよび前記セットのマスタリングディスプレイカラーボリュームパラメータのための前記１つまたは複数のさらなるメタデータブロックを含み、前記セットのマスタリングディスプレイカラーボリュームパラメータのための前記１つまたは複数のさらなるメタデータブロックを含むことは、前記符号化されたビットストリームに前記セットのカラーボリューム変換パラメータのための前記１つまたは複数のメタデータブロックが存在することによって必要とされる、
を備える、装置。
【請求項１５】
ビデオデータを処理するための装置であって、
符号化されたビットストリームを受信するための手段と、ここにおいて、前記符号化されたビットストリームは、１つのセットの符号化されたカラーボリューム変換パラメータを含む１つまたは複数のメタデータブロックを含む、
前記符号化されたビットストリームに前記１つまたは複数のメタデータブロックが存在することを決定するための手段と、
前記符号化されたビットストリームに前記１つまたは複数のメタデータブロックが存在することの前記決定に基づいて、１つまたは複数のさらなるメタデータブロックが存在することが前記符号化されたビットストリームにおいて必要とされることを決定するための手段と、前記１つまたは複数のさらなるメタデータブロックは、符号化されたセットのマスタリングディスプレイカラーボリュームパラメータを含む、
前記符号化されたビットストリームが、前記符号化されたセットのマスタリングディスプレイカラーボリュームパラメータを含む前記１つまたは複数のさらなるメタデータブロックを含まないことを決定するための手段と、
前記符号化されたビットストリームが前記１つまたは複数のさらなるメタデータブロックを含まないことに基づいて、前記符号化されたビットストリームが前記要件に適合しないことを決定するための手段と、
前記符号化されたビットストリームが前記要件に適合しないという前記決定に基づいて、前記符号化されたビットストリームの少なくとも一部を処理しないための手段と、
を備える、装置。